(57)【要約】【課題】コンピュータとプリンタとで構成される印刷システムにおいて、プリンタにおける処理時間を短縮する。【解決手段】コンピュータ１０において、アプリケーション部１１は、ユーザ等から文書ファイルについての印刷指示を受け付ける。データ変換部１２は、印刷対象の文書データをプリンタ２０における画像形成用のビデオデータに変換する。データ出力部１３は、ビデオデータをフラッシュメモリカードＭ等に出力する。プリンタ２０において、データ入力部２１は、フラッシュメモリカードＭ等からビデオデータを受け付ける。コントローラ部２２は、ビデオデータをプリントエンジン部２３に供給する。プリントエンジン部２３は、ビデオデータに基づいて画像を形成して印刷を行う。【選択図】図１
2005267310.tif 000002
【特許請求の範囲】
【請求項１】
コンピュータとプリンタとで構成される印刷システムであって、
前記コンピュータは、
印刷対象の文書データを前記プリンタにおける画像形成用のビデオデータに変換するデータ変換部と、
当該データ変換部により生成されたビデオデータを外部に出力するデータ出力部と、
を有し、
前記プリンタは、
前記データ出力部により出力されたビデオデータを受け付けるデータ入力部と、
当該データ入力部により受け付けられたビデオデータに基づいて画像を形成して印刷を行うプリントエンジン部と、
を有することを特徴とする印刷システム。
【請求項２】
コンピュータとプリンタとで構成される印刷システムであって、
前記コンピュータは、
印刷対象の文書データを前記プリンタにおける画像形成用のビデオデータに変換する第１のデータ変換部と、
印刷対象の文書データを前記プリンタで解釈可能なページ記述言語で記述された中間データに変換する第２のデータ変換部と、
前記第１および第２のデータ変換部のうちいずれを使用するかを選択する選択部と、
前記第１のデータ変換部により生成されたビデオデータを外部に出力する第１のデータ出力部と、
前記第２のデータ変換部により生成された中間データを外部に出力する第２のデータ出力部と、を有し、
前記プリンタは、
前記第１のデータ出力部により出力されたビデオデータを受け付ける第１のデータ入力部と、
前記第２のデータ出力部により出力された中間データを受け付ける第２のデータ入力部と、
当該第２のデータ入力部により受け付けられた中間データを画像形成用のビデオデータに変換する第３のデータ変換部と、
前記第１のデータ入力部により受け付けられたビデオデータ、または、前記第３のデータ変換部により生成されたビデオデータに基づいて画像を形成して印刷を行うプリントエンジン部と、を有することを特徴とする印刷システム。
【請求項３】
請求項２に記載の印刷システムであって、
前記選択部は、予め設定された規則に従って、前記コンピュータまたは前記プリンタの、処理負荷または処理能力に応じて選択することを特徴とする印刷システム。
【請求項４】
請求項１〜３のいずれか１項に記載の印刷システムであって、
前記データ出力部または前記第１のデータ出力部は、前記ビデオデータを可搬性記録メディアに書き込むメディアライタであり、
前記データ入力部または前記第１のデータ入力部は、前記可搬性記録メディアから前記ビデオデータを読み出すメディアリーダであることを特徴とする印刷システム。
【請求項５】
請求項１〜４のいずれか１項に記載の印刷システムであって、
前記プリンタは、電子写真方式のページプリンタであり、
前記ビデオデータは、感光体に照射される光量を制御するデータであることを特徴とする印刷システム。
【請求項６】
印刷対象の文書データをプリンタにおける画像形成用のビデオデータに変換するデータ変換部と、
当該データ変換部により生成されたビデオデータを外部に出力するデータ出力部と、
を有することを特徴とするコンピュータ。
【請求項７】
請求項６に記載のコンピュータであって、
前記データ出力部は、前記ビデオデータを可搬性記録メディアに書き込むメディアライタであることを特徴とするコンピュータ。
【請求項８】
コンピュータにおけるデータ変換処理によって印刷対象の文書データから生成されたビデオデータを受け付けるデータ入力部と、
当該データ入力部により受け付けられたビデオデータに基づいて画像を形成して印刷を行うプリントエンジン部と、
を有することを特徴とするプリンタ。
【請求項９】
請求項８に記載のプリンタであって、
前記データ入力部は、前記ビデオデータを可搬性記録メディアから読み出すメディアリーダであることを特徴とするプリンタ。
【請求項１０】
コンピュータとプリンタとで構成される印刷システムにおける印刷方法であって、
前記コンピュータが、印刷対象の文書データを前記プリンタにおける画像形成用のビデオデータに変換し、
前記プリンタが、前記コンピュータにより生成されたビデオデータに基づいて画像を形成して印刷を行うことを特徴とする印刷方法。
【発明の詳細な説明】
【技術分野】
【０００１】
本発明は、コンピュータとプリンタとで構成される印刷システムに関し、特に、印刷対象の文書データのデータ変換に関する。
【背景技術】
【０００２】
パーソナルコンピュータ（以下、ＰＣと称す）とプリンタとがネットワークを介して接続された印刷システムがある。
【０００３】
図５は、従来の印刷システムにおける印刷手順を説明するための図である。以下、この図５を参照して、従来の印刷システムにおける印刷作業の手順について説明する。
【０００４】
ＰＣ７０において、印刷機能を持ったアプリケーション７１は、ユーザ等からの印刷要求に応じて、文書データについての印刷指示をプリンタドライバ７２に送る。プリンタドライバ７２は、この印刷指示に応じて、文書データをプリンタ８０のコントローラ８１で解釈可能な中間データに変換する。具体的には、文書データをページ記述言語（ＰＤＬ：Page Discription Language）で記述されたＰＤＬデータに変換する。そして、プリンタドライバ７２は、生成された中間データをネットワークを介してプリンタ８０に送信する。
【０００５】
プリンタ８０において、コントローラ８１は、ＰＣ７０から受信した中間データを、プリントエンジン８２の仕様に合わせたビットマップを主体とするビデオデータに変換する。そして、生成されたビデオデータをプリントエンジン８２に供給する。プリントエンジン８２は、供給されたビデオデータに基づいて画像を形成して印刷を行う。例えば、レーザプリンタにおいては、コントローラ８１はメカニカルなタイミングに合わせてビデオデータをＲＯＳ（レーザ走査光学装置：Raster Output Scanner）に供給し、ＲＯＳはビデオデータに基づいてレーザをＯＮ／ＯＦＦする。
【０００６】
しかし、上記従来の印刷システムでは、複数回のデータ変換が行われるため、各制御部分においてデータ変換による負荷が分散してかかっている。そのため、複数の印刷ジョブの競合や生産性に影響を及ぼしている。また、印刷処理に要するトータルの時間が長くなっている。
【０００７】
特許文献１には、データ変換を１回だけにする画像形成システムが開示されている。この画像形成システムでは、コンピュータは、アプリケーションファイルのＰＤＬ変換を行わず、アプリケーションファイルのままプリンタへ転送する。プリンタは、予め複数のアプリケーションのプリントモジュールを備えており、転送されてきたアプリケーションに合わせてプリントモジュールを使用して、ラスタイメージデータに変換し、プリント出力を行う。このシステムによれば、コンピュータにおいて、ＰＤＬ変換が不要となり、プリント作業からの解放が速くなる。
【０００８】
【特許文献１】特開平９−６９９１２号公報
【発明の開示】
【発明が解決しようとする課題】
【０００９】
しかし、上記特許文献１に記載されたシステムでは、処理負担をプリンタ側に求めることにより、プリンタ側での処理時間がかかってしまう。
【００１０】
そこで、本発明は、プリンタにおける処理時間の短縮を図ることができる印刷システムを提供する。
【課題を解決するための手段】
【００１１】
本発明に係る印刷システムは、コンピュータとプリンタとで構成される印刷システムであって、前記コンピュータは、印刷対象の文書データを前記プリンタにおける画像形成用のビデオデータに変換するデータ変換部と、当該データ変換部により生成されたビデオデータを外部に出力するデータ出力部と、を有し、前記プリンタは、前記データ出力部により出力されたビデオデータを受け付けるデータ入力部と、当該データ入力部により受け付けられたビデオデータに基づいて画像を形成して印刷を行うプリントエンジン部と、を有することを特徴とする。
【００１２】
また、本発明に係る印刷システムは、コンピュータとプリンタとで構成される印刷システムであって、前記コンピュータは、印刷対象の文書データを前記プリンタにおける画像形成用のビデオデータに変換する第１のデータ変換部と、印刷対象の文書データを前記プリンタで解釈可能なページ記述言語で記述された中間データに変換する第２のデータ変換部と、前記第１および第２のデータ変換部のうちいずれを使用するかを選択する選択部と、前記第１のデータ変換部により生成されたビデオデータを外部に出力する第１のデータ出力部と、前記第２のデータ変換部により生成された中間データを外部に出力する第２のデータ出力部と、を有し、前記プリンタは、前記第１のデータ出力部により出力されたビデオデータを受け付ける第１のデータ入力部と、前記第２のデータ出力部により出力された中間データを受け付ける第２のデータ入力部と、当該第２のデータ入力部により受け付けられた中間データを画像形成用のビデオデータに変換する第３のデータ変換部と、前記第１のデータ入力部により受け付けられたビデオデータ、または、前記第３のデータ変換部により生成されたビデオデータに基づいて画像を形成して印刷を行うプリントエンジン部と、を有することを特徴とする。
【００１３】
ここで、前記選択部は、予め設定された規則に従って、前記コンピュータまたは前記プリンタの、処理負荷または処理能力に応じて選択することが望ましい。
【００１４】
本発明に係る印刷システムの好適な一実施形態では、前記データ出力部または前記第１のデータ出力部は、前記ビデオデータを可搬性記録メディアに書き込むメディアライタであり、前記データ入力部または前記第１のデータ入力部は、前記可搬性記録メディアから前記ビデオデータを読み出すメディアリーダである。
【００１５】
また、本発明に係る印刷システムの好適な一実施形態では、前記プリンタは、電子写真方式のページプリンタであり、前記ビデオデータは、感光体に照射される光量を制御するデータである。
【００１６】
本発明に係るコンピュータは、印刷対象の文書データをプリンタにおける画像形成用のビデオデータに変換するデータ変換部と、当該データ変換部により生成されたビデオデータを外部に出力するデータ出力部と、を有することを特徴とする。
【００１７】
本発明に係るコンピュータの好適な一実施形態では、前記データ出力部は、前記ビデオデータを可搬性記録メディアに書き込むメディアライタである。
【００１８】
本発明に係るプリンタは、コンピュータにおけるデータ変換処理によって印刷対象の文書データから生成されたビデオデータを受け付けるデータ入力部と、当該データ入力部により受け付けられたビデオデータに基づいて画像を形成して印刷を行うプリントエンジン部と、を有することを特徴とする。
【００１９】
本発明に係るプリンタの好適な一実施形態では、前記データ入力部は、前記ビデオデータを可搬性記録メディアから読み出すメディアリーダである。
【００２０】
本発明に係る印刷方法は、コンピュータとプリンタとで構成される印刷システムにおける印刷方法であって、前記コンピュータが、印刷対象の文書データを前記プリンタにおける画像形成用のビデオデータに変換し、前記プリンタが、前記コンピュータにより生成されたビデオデータに基づいて画像を形成して印刷を行うことを特徴とする。
【発明の効果】
【００２１】
本発明によれば、コンピュータ側で印刷対象の文書データをプリンタにおける画像形成用のビデオデータに変換するので、プリンタにおける処理時間の短縮を図ることができる。
【発明を実施するための最良の形態】
【００２２】
以下、本発明の実施の形態を図面に従って説明する。
【００２３】
図１は、本実施の形態に係る印刷システム１の機能構成を示すブロック図である。この印刷システム１は、コンピュータ１０とプリンタ２０とから構成されている。
【００２４】
コンピュータ１０は、印刷対象の文書ファイルをプリンタ２０用のビデオデータに変換して出力するものであり、例えば、パーソナルコンピュータ（ＰＣ）である。このコンピュータ１０は、アプリケーション部１１、データ変換部１２、およびデータ出力部１３を備えている。
【００２５】
アプリケーション部１１は、印刷機能を持つアプリケーションソフトにより実現される機能ブロックである。アプリケーションソフトとしては、例えば、ワープロソフト、画像編集ソフト、表計算ソフト等が挙げられるが、特に限定されない。
【００２６】
データ変換部１２は、アプリケーション部１１により印刷指示された印刷対象の文書データを、プリンタ２０における画像形成用のビデオデータに変換する機能ブロックである。このデータ変換部１２は、例えば、データ変換モジュールソフトにより実現される。ここで、ビデオデータは、ビットマップを主体としたプリンタ２０用のイメージフォーマットのデータである。別の言い方をすると、ビデオデータは、プリンタ２０の画像形成に係るハードウェアすなわちプリントエンジン部２３を直接制御可能なデータである。具体的には、プリンタ２０が電子写真方式のページプリンタである場合、ビデオデータは、感光体に照射される光量を制御するデータである。より具体的には、レーザ方式においてはレーザの駆動を制御するデータであり、ＬＥＤ（Light Emitting Diode）方式においてはＬＥＤの駆動を制御するデータであり、液晶シャッタ方式においては液晶シャッタの駆動を制御するデータである。
【００２７】
データ出力部１３は、データ変換部１２により生成されたビデオデータを外部に出力する機能ブロックである。本実施の形態では、データ出力部１３は、可搬性記録メディアにデータを書き込むメディアライタである。より具体的には、データ出力部１３は、フラッシュメモリカードを抜き差し自在なカードスロットを備え、当該カードスロットに挿入されたフラッシュメモリカードにデータを記録する。ただし、可搬性記録メディアは、フラッシュメモリカードに限られず、携帯型ハードディスクドライブ等の他の記録媒体であってもよい。また、データ出力部１３は、ＬＡＮ（Local Area Network）インタフェース、ＵＳＢ（Universal Serial Bus）インタフェース等の通信インタフェースであってもよい。
【００２８】
プリンタ２０は、コンピュータ１０によって文書データから生成されたビデオデータを受け取って、このビデオデータに基づいて印刷を行う印刷装置である。本実施の形態では、プリンタ２０は、電子写真方式のプリンタである。このプリンタ２０は、データ入力部２１、コントローラ部２２、およびプリントエンジン部２３を備えている。
【００２９】
データ入力部２１は、コンピュータ１０のデータ出力部１３により出力されたビデオデータを受け付ける機能ブロックである。本実施の形態では、データ入力部２１は、可搬性記録メディアからデータを読み出すメディアリーダである。より具体的には、データ入力部２１は、フラッシュメモリカードを抜き差し自在なカードスロットを備え、当該カードスロットに挿入されたフラッシュメモリカードからデータを読み出す。ただし、可搬性記録メディアは、フラッシュメモリカードに限られず、携帯型ハードディスクドライブ等の他の記録媒体であってもよい。また、データ入力部２１は、ＬＡＮインタフェース、ＵＳＢインタフェース等の通信インタフェースであってもよい。
【００３０】
コントローラ部２２は、データ入力部２１により受け付けられたビデオデータを、プリントエンジン部２３に、メカニカルなタイミングに合わせて供給する機能ブロックである。このコントローラ部２２は、コントローラソフト等により実現される。
【００３１】
プリントエンジン部２３は、コントローラ部２２から供給されるビデオデータに基づいて画像を形成して印刷を行う機能ブロックである。
【００３２】
以下、上記構成を有する印刷システム１の動作について説明する。図２は、本実施の形態に係る印刷システム１の動作手順を示すフローチャートである。
【００３３】
コンピュータ１０において、アプリケーション部１１は、ユーザ等から文書データについての印刷指示を受け付けると、当該文書データをデータ変換部１２に渡す（Ｓ１１）。
【００３４】
データ変換部１２は、アプリケーション部１１から受け取った文書データを、プリンタ２０における画像形成用のビデオデータに変換し、生成されたビデオデータをデータ出力部１３に渡す（Ｓ１２）。
【００３５】
データ出力部１３は、データ変換部１２から受け取ったビデオデータを、メモリカードスロットに挿入されているフラッシュメモリカードＭに書き込む（Ｓ１３）。このフラッシュメモリカードＭは、ユーザにより抜き取られ、印刷を行うプリンタ２０のメモリカードスロットに挿入されることとなる。
【００３６】
プリンタ２０において、ユーザによりフラッシュメモリカードＭがメモリカードスロットに挿入されると、データ入力部２１は、フラッシュメモリカードＭからビデオデータを読み出し、このビデオデータをコントローラ部２２に渡す（Ｓ１４）。なお、本実施の形態では、ビデオデータは、フラッシュメモリカードＭを経由してコンピュータ１０からプリンタ２０に渡されるが、有線または無線の通信回線を介して渡されても構わない。
【００３７】
コントローラ部２２は、データ入力部２１から受け取ったビデオデータを、プリントエンジン部２３に、メカニカルなタイミングに合わせて供給する（Ｓ１５）。具体的には、プリントエンジン部２３のレーザ駆動回路やＬＥＤ駆動回路等の露光量制御回路に供給する。ここで、コントローラ部２２は、ページ記述言語で記述された中間データではなく、プリントエンジン部２３に直接供給可能なビデオデータを受け取るので、ラスタライズ等のデータ変換処理を行う必要はない。
【００３８】
プリントエンジン部２３は、コントローラ部２２から供給されたビデオデータに基づいて画像を形成して印刷を行う（Ｓ１６）。具体的には、プリントエンジン部２３は、ビデオデータに基づいて、レーザのオン／オフ等により感光体に照射される光量を制御し、感光体上に静電潜像を形成する。そして、この静電潜像を現像することによりトナー像を形成し、このトナー像を紙等の被印刷体に転写した後に、トナー像を被印刷体に定着させる。
【００３９】
なお、プリンタ２０は、フラッシュメモリカードＭから読み出した一以上のビデオデータを表示部（不図示）に表示し、印刷を希望するビデオデータの選択をユーザに促し、操作入力部（不図示）を介してユーザから選択操作を受け付け、ユーザにより選択されたビデオデータを印刷することとしてもよい。
【００４０】
上記のとおり説明した本実施の形態によれば、データ変換部１２が印刷対象の文書データをビデオデータに変換するので、データ変換を１回とすることが可能となる。これにより、文書データを中間データに変換し、中間データをビデオデータに変換する場合に比べて、印刷工程全体の処理時間を短縮することが可能となる。
【００４１】
また、コンピュータ１０側で文書データからビデオデータへの変換を行うので、プリンタ２０側でのデータ変換を不要にすることが可能となる。これにより、プリンタ２０における処理時間の短縮を図ることができる。また、プリンタ２０におけるデータ変換用のハードウェア資源やソフトウェア資源を省略することが可能となり、プリンタ２０の構成の簡略化やコストダウンを図ることができる。
【００４２】
また、可搬性記録メディアにビデオデータを記録し、この可搬性記録メディアを介してコンピュータ１０からプリンタ２０にビデオデータを渡すので、大容量のビデオデータを通信回線に流すことによる通信トラヒックの増大を避けることができる。
【００４３】
図３は、別の実施の形態に係る印刷システム２の機能構成を示すブロック図である。この印刷システム２は、コンピュータ側で文書データを中間データに変換しプリンタ側で中間データをビデオデータに変換する従来の印刷システムに、コンピュータ側で文書データを直接ビデオデータに変換する方式が追加されたものである。以下、印刷システム２について説明するが、上記実施の形態に係る印刷システム１と共通する部分については、同一の符号を用い、説明を省略する。
【００４４】
コンピュータ３０は、アプリケーション部１１、データ変換部１２、およびデータ出力部１３の他に、データ変換部１２´、データ出力部１３´、および選択部３４を有する。
【００４５】
データ変換部１２´は、印刷対象の文書データをプリンタ４０で解釈可能なページ記述言語で記述された中間データに変換する機能ブロックであり、プリンタ４０のドライバソフトにより実現される。ここで、ページ記述言語としては、Adobe社のPostScriptや、Hewlett-Packard社のHP-PCLなどが挙げられる。
【００４６】
データ出力部１３´は、データ変換部１２´により生成された中間データを外部に出力する機能ブロックである。本実施の形態では、ＬＡＮインタフェースやＵＳＢインタフェース等の通信インタフェースである。
【００４７】
選択部３４は、データ変換部１２およびデータ変換部１２´のうちいずれをデータ変換に使用するかを選択する機能ブロックである。すなわち、コンピュータ３０側で印刷対象の文書データをビデオデータに変換するか、中間データに変換するかを選択する機能ブロックである。
【００４８】
プリンタ４０は、データ入力部２１、コントローラ部２２、およびプリントエンジン部２３の他に、データ入力部２１´およびコントローラ部２２´を有する。
【００４９】
データ入力部２１´は、データ出力部１３´により出力された中間データを受け付ける機能ブロックである。ここでは、データ入力部２１´は、データ出力部１３´に対応する通信インタフェースである。
【００５０】
コントローラ部２２´は、データ入力部２１´により受け付けられた中間データを、ビットマップを主体とした画像形成用のビデオデータに変換し、得られたビデオデータをプリントエンジン部２３に、メカニカルなタイミングに合わせて供給する機能ブロックである。このコントローラ部２２´は、コントローラソフト等により実現される。
【００５１】
以下、上記構成を有する印刷システム２の動作について説明する。図４は、本実施の形態に係る印刷システム２の動作手順を示すフローチャートである。
【００５２】
コンピュータ３０において、アプリケーション部１１がユーザ等から文書データについての印刷指示を受け付けると（Ｓ２１）、選択部３４は、印刷対象の文書データをビデオデータに変換するか、中間データに変換するかを選択する（Ｓ２２）。本実施の形態では、選択部３４は、予め設定された規則に従って、コンピュータ３０またはプリンタ４０の、処理負荷または処理能力に応じて選択する。ここで、処理負荷は、未処理のジョブの量やＣＰＵの稼働率などである。また、処理能力は、データ変換に用いられるハードウェア（ＣＰＵ、ＲＡＭ等）やソフトウェアの処理能力である。これらの処理負荷や処理能力に関する情報は、適宜の手段で、適宜のタイミングで取得される。また、上記の規則は、印刷処理に要する時間が短くなるように、あるいは、処理負荷が適切に分散されるように設定されることが好ましい。選択部３４は、例えば、プリンタ４０における未処理のデータ量が所定値以上であればビデオデータへの変換を選択し、所定値未満であれば中間データへの変換を選択する。なお、選択部３４は、ディスプレイやキーボード等のユーザインタフェースを介して、ユーザから選択操作を受け付けてもよい。すなわち、ビデオデータに変換するか中間データに変換するかは、ユーザの希望により選択されてもよい。
【００５３】
ビデオデータへの変換が選択された場合（Ｓ２３：ＹＥＳ）、コンピュータ３０およびプリンタ４０は、次のように動作する。コンピュータ３０において、データ変換部１２は、印刷対象の文書データをビデオデータに変換し、生成されたビデオデータをデータ出力部１３に渡す（Ｓ２４）。データ出力部１３は、受け取ったビデオデータを外部（通信回線または可搬性記録メディア）に出力する（Ｓ２５）。プリンタ４０において、データ入力部２１は、通信回線または可搬性記録メディアを介して、コンピュータ３０から出力されたビデオデータを受け付け、このビデオデータをコントローラ部２２に渡す（Ｓ２６）。コントローラ部２２は、受け取ったビデオデータをプリントエンジン部２３に供給する（Ｓ２７）。プリントエンジン部２３は、コントローラ部２２から供給されたビデオデータに基づいて画像を形成して印刷を行う（Ｓ２８）。
【００５４】
一方、中間データへの変換が選択された場合（Ｓ２３：ＮＯ）、コンピュータ３０およびプリンタ４０は、次のように動作する。コンピュータ３０において、データ変換部１２´は、印刷対象の文書データを中間データに変換し、生成された中間データをデータ出力部１３´に渡す（Ｓ２９）。データ出力部１３´は、受け取った中間データを通信回線に出力する（Ｓ３０）。プリンタ４０において、データ入力部２１´は、通信回線を介して、コンピュータ３０から出力された中間データを受け付け、この中間データをコントローラ部２２´に渡す（Ｓ３１）。コントローラ部２２´は、受け取った中間データをビデオデータに変換する（Ｓ３２）。そして、生成されたビデオデータをプリントエンジン部２３に供給する（Ｓ３３）。プリントエンジン部２３は、コントローラ部２２´から供給されたビデオデータに基づいて画像を形成して印刷を行う（Ｓ２８）。
【００５５】
上記のとおり説明した本実施の形態によれば、コンピュータ側で中間データに変換する従来の方式と、コンピュータ側で直接ビデオデータに変換する方式とを選択可能とするので、ユーザの希望などに応じて適切な印刷処理を行うことができる。ここで、コンピュータ３０やプリンタ４０の、処理負荷や処理能力に応じて印刷処理の方式を選択することとした場合、印刷処理に要する時間の短縮化や、処理負荷の適切な分散を図ることができる。
【００５６】
以上、本発明の実施の形態について説明したが、本発明が上記の実施の形態に限定されないことは言うまでもない。例えば、上記の実施の形態では、電子写真方式のプリンタを例にとって説明したが、本発明は、インクジェット方式等、他の方式のプリンタにも適用可能である。インクジェット方式の場合、ビデオデータは、インクの吐出量を制御するデータとなる。別の言い方をすれば、ビデオデータは、インクジェットヘッドの駆動を制御するデータとなる。
【図面の簡単な説明】
【００５７】
【図１】実施の形態に係る印刷システムの機能構成を示すブロック図である。
【図２】実施の形態に係る印刷システムの動作手順を示すフローチャートである。
【図３】別の実施の形態に係る印刷システムの機能構成を示すブロック図である。
【図４】別の実施の形態に係る印刷システムの動作手順を示すフローチャートである。
【図５】従来の印刷システムにおける印刷手順を説明するための図である。
【符号の説明】
【００５８】
１０，３０  コンピュータ、１１  アプリケーション部、１２，１２´  データ変換部、１３，１３´  データ出力部、３４  選択部、２０，４０  プリンタ、２１，２１´  データ入力部、２２，２２´  コントローラ部、２３  プリントエンジン部。
【図１】
2005267310.tif 000003
【図２】
2005267310.tif 000004
【図３】
2005267310.tif 000005
【図４】
2005267310.tif 000006
【図５】
2005267310.tif 000007